(57)【特許請求の範囲】
【請求項１】
遊技機の遊技領域を転動する遊技球を入賞させるための開閉扉を備えた可動入賞装置において、
前記開閉扉の裏面側に配置され、駆動に基づいて上下動させる突出部を有する駆動手段と、
前記開閉扉と前記突出部との間に位置する支点を中心に回動可能に支持された作動部材と、を有し、
前記作動部材は、
前記支点から前記突出部側に延出され、自重に基づいて前記突出部の上面に端部が載置されるとともに、前記突出部の上下動に従って前記支点を中心に回動する第１作動部と、
前記支点から前記開閉扉側に延出され、前記開閉扉に端部が係合されるとともに、前記突出部の上下動に従って前記支点を中心に回動する第２作動部と、
を備え、
前記開閉扉は、前記開閉扉の裏面側において前記第２作動部の端部と係合するとともに前記第２作動部の回動運動を前記開閉扉の開閉運動へと変換する係合部を備え、
前記突出部の上面に前記第１作動部の端部が載置された状態で前記突出部が下方から上方へ駆動されることにより該突出部によって前記第１作動部が押し上げられることで、前記第１作動部及び前記第２作動部が所定の第１方向に前記支点を中心に回動し、前記第２作動部の前記第１方向の回動に基づいて前記係合部を介して前記開閉扉を開いた状態から閉じた状態へと移行し、
前記突出部が上方から下方へ駆動されることにより該突出部が前記第１作動部から離れることで、前記第１作動部及び前記第２作動部が前記第１作動部の自重に基づいて前記第１方向と反対の第２方向へと、前記第１作動部が前記突出部に載置された状態となるまで前記支点を中心に回動し、前記第２作動部の前記第２方向の回動に基づいて前記係合部を介して前記開閉扉を閉じた状態から開いた状態へと移行することを特徴とする可動入賞装置。
【発明の詳細な説明】
【０００１】
【発明の属する技術分野】
本発明は、遊技機の遊技領域を流れる遊技球を入賞させるための開閉扉を備えた可動入賞装置またはその可動入賞装置を備えた遊技機に関し、特に、開閉扉のデザインの自由度を高めて、開閉扉周囲の美観を良くすることができる可動入賞装置に関するものである。
【０００２】
【従来の技術】
従来、遊技機としてのパチンコ遊技機に設けられる可動入賞装置は、例えば特別入賞装置を備えている。この特別入賞装置は、遊技領域を流れるパチンコ球を入賞させるための開閉扉を備えている。その特別入賞装置の開閉扉は、遊技領域に設けられる表示装置が、始動入賞口への入賞に伴ってキャラクタの変動を開始して、その表示装置の表示結果が予め定めた大当たり図柄（特定表示結果）となった場合に、所定時間または所定個数だけ入賞するまで、開いた状態となる。
このような従来の特別入賞装置は、開閉用ソレノイドを作動させて開閉扉を引っ張る構成でもって、開閉扉を開いた状態から閉じた状態にするのに対して、開閉扉を閉じた状態から開いた状態にするには、開閉扉に埋め込まれた重りの重量でもって、開閉扉を開く構成であった。
【０００３】
【発明が解決しようとする課題】
しかし、このような重りの重量によって、開閉扉を開く構成の場合、遊技者側から重りが見えると、開閉扉周囲の美観が悪くなる問題点があった。そのため、開閉扉に埋め込まれた重りを見えなくするように、開閉扉に工夫を施す必要があるが、かかる場合、開閉扉のデザインが制限されたりして、開閉扉のデザインの自由度を悪くし、結果的に開閉扉周囲の美観を損なうおそれがある。
本発明は、上記した問題点に鑑みなされたものであり、その目的とするところは、開閉扉のデザインの自由度を高めて、開閉扉周囲の美観を良くすることができる可動入賞装置を提供することにある。
【０００４】
【課題を解決するための手段】
上記の目的を達成するために、請求項１に係る発明によれば、遊技機の遊技領域を転動する遊技球を入賞させるための開閉扉を備えた可動入賞装置において、前記開閉扉の裏面側に配置され、駆動に基づいて上下動させる突出部を有する駆動手段と、前記開閉扉と前記突出部との間に位置する支点を中心に回動可能に支持された作動部材と、を有し、前記作動部材は、前記支点から前記突出部側に延出され、自重に基づいて前記突出部の上面に端部が載置されるとともに、前記突出部の上下動に従って前記支点を中心に回動する第１作動部と、前記支点から前記開閉扉側に延出され、前記開閉扉に端部が係合されるとともに、前記突出部の上下動に従って前記支点を中心に回動する第２作動部と、を備え、前記開閉扉は、前記開閉扉の裏面側において前記第２作動部の端部と係合するとともに前記第２作動部の回動運動を前記開閉扉の開閉運動へと変換する係合部を備え、前記突出部の上面に前記第１作動部の端部が載置された状態で前記突出部が下方から上方へ駆動されることにより該突出部によって前記第１作動部が押し上げられることで、前記第１作動部及び前記第２作動部が所定の第１方向に前記支点を中心に回動し、前記第２作動部の前記第１方向の回動に基づいて前記係合部を介して前記開閉扉を開いた状態から閉じた状態へと移行し、前記突出部が上方から下方へ駆動されることにより該突出部が前記第１作動部から離れることで、前記第１作動部及び前記第２作動部が前記第１作動部の自重に基づいて前記第１方向と反対の第２方向へと、前記第１作動部が前記突出部に載置された状態となるまで前記支点を中心に回動し、前記第２作動部の前記第２方向の回動に基づいて前記係合部を介して前記開閉扉を閉じた状態から開いた状態へと移行することを特徴とする。
【０００５】
このような特徴を有する発明によれば、駆動手段は、突出部が上方向に移動するように駆動すると、作動部材の第１作動部が上方向に移動し、作動部材が支点を中心として揺動し、作動部材の第２作動部が開閉扉の係合部（第２係合部）を移動させて、開閉扉を開いた状態から閉じた状態にする。それに対し、駆動手段は、突出部が下方向に移動するように駆動すると、作動部材の第１作動部が下方向に移動し、作動部材が支点を中心として揺動し、作動部材の第２作動部が開閉扉の係合部（第１係合部）を移動させて開閉扉を閉じた状態から開いた状態になる。
このように駆動手段が作動部材を支点を中心として揺動して、開閉扉を閉じた状態から開いた状態にしたり、開閉扉を開いた状態から閉じた状態にすることができるので、従来技術と異なり開閉扉を開くために開閉扉に重りを埋め込む必要がない。そのため、従来技術のような開閉扉の重りを見えなくするような工夫を施すこす必要もなく、開閉扉のデザインが制限されることがないため、開閉扉のデザインの自由度を高めて、開閉扉周囲の美観を良くすることができる。
【０００６】
この場合、開閉扉が作動部材の第２作動部と係合される係合部（開閉扉の裏面側に突設する突部）及び第２係合部（駆動手段に向かって延設される腕部）を少なくとも有し、作動部材の第２作動部が開閉扉の係合部を移動させて、開閉扉を閉じた状態から開いた状態にするとともに、第２作動部が開閉扉の第２係合部と当接して開閉扉の開いた位置から閉じた状態にするのが望ましい。
【０００７】
【０００８】
また、第１作動部材の自重に基づいて突出部の上面に第１作動部の端部が載置されるように設定されているので、第１作動部の自重でもって作動部材が支点を中心として揺動し、作動部材の第２作動部が開閉扉の係合部を移動させて、開閉扉を閉じた状態から開いた状態にする。それにより、開閉扉はスムーズに閉じた状態から開いた状態になり、従来技術と異なり開閉扉を開くために開閉扉に重りを埋め込む必要がないため、開閉扉の重りを見えなくするような工夫を施すことが不要となる。従って、開閉扉のデザインの自由度を高めて、開閉扉周囲の美観を良くすることができる。
【０００９】
また、請求項１に記載された可動入賞装置を備えた遊技機では、開閉扉のデザインの自由度を高めて、開閉扉周囲の美観を良くすることができる。
【００１０】
【発明の実施の形態】
以下、図面を参照して本発明の実施形態について説明する。先ず、図１を参照して実施形態に係る遊技機（図示ではパチンコ遊技機）の遊技盤２の構成について説明する。図１は、遊技盤２を示す正面図である。図２はこの実施の形態に係るパチンコ遊技機の遊技領域を示した拡大正面図である。
図１に示すパチンコ遊技機１は、いわゆる第一種パチンコ機であって、特別図柄変動装置(表示装置)に表示される左側及び右側のキャラクタが一致するリーチ状態（例えば「７、不確定数値、７」）及びこのリーチ状態を経て、全てのキャラクタを一致させる大当たり状態（例えば「７、７、７」）に設定することができる。
【００１１】
このパチンコ遊技機１は、後述する入賞口、特別図柄表示装置、電動役物及びゲート等の各種構造物を遊技盤２上に配設している。具体的には、その遊技盤２の下方には、賞球払出装置（図示せず）を介して払い出される賞球を受ける上皿３がプレート４に配設され、このプレート４はスピーカ３Ａを内蔵している。そして、その上皿３の下には、上皿３から溢れたパチンコ球を受ける下皿５が配設されている。また、プレート４の下方には、発射装置（図示せず）用の操作ハンドル６が設けられており、上皿３上のパチンコ球が、上皿３に連通する球送り機構（図示せず）を介して、発射装置（図示せず）へ送られるように構成されている。
【００１２】
また、遊技盤２の両肩部には、賞球払い出し表示用及び球切れ表示用ランプ１０、１０が設けられている。この遊技盤２の前側は、鋼板やステンレス等の金属製のガラス扉９により覆われており、このガラス扉９は、枠体の前側にヒンジ部材等を介して開閉自在に取り付けられている内枠に取り付けられている。また、ガラス扉９には、開口部を有する鋼板やステンレス等の金属製のガラス保持枠が、スポット溶接等により固着されている。そのため、遊技者はガラス保持枠に装着された２枚のガラスを通して、遊技盤２上の遊技領域１１を見ることができる。また、ガラス扉９の上部には、遊技中のエラーを表示するエラー表示ランプ７や、「当たり」を表示する当たり表示ランプ８、８が取り付けられている。
【００１３】
次に、図２において、パチンコ遊技機１における遊技盤２上の遊技領域１１の構成について説明する。所定厚さの板材からなる遊技盤２上の遊技領域１１には、入賞口などの各種構造物が配設されており、それを囲むように環状のレール１２が遊技盤２上に立設されている。このレール１２は、発射されたパチンコ球を遊技領域１１内に案内する案内路１３を構成し、遊技盤２上の右肩部には、レール１２に沿って打ち込まれるパチンコ球の進行を制限するための段差部１４が配設されている。
【００１４】
遊技領域１１のほぼ中央には、開口部が遊技盤２に開設され、この開口部の前面側には、表示装置としての特別図柄表示装置１８が配設されている。この特別図柄表示装置１８は、映像表示用の液晶表示器１９を備え、この液晶表示器１９が遊技盤２の開口部に裏面側から取り付けられる。この液晶表示器１９は、変動する背景画面上に、左側のキャラクタ、中側のキャラクタ、及び右側のキャラクタの３つの変動図柄を表示するが、この変動図柄としてのキャラクタが液晶表示器１９の上下方向に変動する際に、数字「１」乃至「９」の数字等のキャラクタが各々独立して順番に表示される。
【００１５】
また、その液晶表示器１９の右下角部には、左右に二分割された普通図柄（例えば「０」乃至「９」の数字）を表示する普通図柄表示部２０が設けられている。
一方、特別図柄表示装置１８の左右には、飾り風車２３、２４が設けられている。また、各飾り風車２３、２４及び特別図柄表示装置１８の間には、通常の風車２５、２６が設けられ、特別図柄表示装置１８の両肩側には、電飾ランプ付きの風車２７、２８が設けられている。
また、特別図柄表示装置１８の直下には、液晶表示器１９の特別図柄変動開始用の第１始動口３１が配設されている。この第１始動口３１の左右には、普通図柄表示部２０の普通図柄変動開始用の各ゲート３２、３３が配設されている。この第１始動口３１には、パチンコ球の入賞を検出する第１始動口スイッチ（図示せず）が設けられている。
【００１６】
この第１始動口スイッチがパチンコ球の入賞を検出すると、液晶表示器１９の背景画面上に表示されている左側のキャラクタ、中側のキャラクタ、及び右側のキャラクタ等の特別図柄の変動が開始するように構成されている。そして、これら特別図柄が変動中に、第１始動口スイッチが第１始動口３１内のパチンコ球の入賞を検出した場合には、主基板に設けられるＲＡＭ（記憶装置）の第１保留カウンタ（図示せず）に、その入賞個数のカウント値が、４個まで記憶されて、変動確定回数として保留される。この第１保留カウンタに記憶されているカウント値を表示する第１保留ＬＥＤ３４が、液晶表示器１９の両肩部に各々２個ずつ配置されている。
また、各ゲート３２、３３には、パチンコ球の通過を検出するゲートスイッチ（図示せず）が備えられている。これらゲートスイッチがパチンコ球の通過を検出すると、普通図柄表示部２０の普通図柄が変動するように構成されている。そして、普通図柄の変動中に、各ゲート３２、３３が入賞したことを検出した場合に、主基板に設けられるＲＡＭ（記憶装置）の第２保留カウンタに、その入賞個数のカウント値が、４個まで記憶されて変動確定回数として保留される。この第２保留カウンタに記憶されているカウント値を表示する第２保留ＬＥＤ３５が、液晶表示器１９の上側に左右方向に４個配置されている。
【００１７】
そして、これら第１始動口３１、各ゲート３２、３３の下側には、特別入賞装置４１が配設されており、この特別入賞装置４１は、遊技者にとって有利な特定遊技状態（いわゆる大当たり遊技状態）を発生させる際に利用する。その特別入賞装置４１には、第２開閉扉（図示せず）で前面部を覆われる第２始動口３８が上方側に形成される他に、第２始動口３８よりも横幅が広く開口し、開閉扉３９で前面部を覆われる大入賞口４０が下方側に形成されている。
そして、液晶表示器１９の左側のキャラクタ、中側のキャラクタ、及び右側のキャラクタが変動を開始した後、所定時間の変動状態を経過して停止した状態で、３個のキャラクタが揃う（すなわち、複数のキャラクタが、例えば「７、７、７」等の予め定めた特定表示結果となった）と、いわゆる大当たり遊技状態となる。
【００１８】
この場合、開閉扉３９が開いて大入賞口４０を開口させ、大入賞口４０内にパチンコ球が入賞しやすくなって、遊技者にとって有利な特定遊技状態（いわゆる「大当たり」となって多数の賞球が払い出される状態）となる。
その大入賞口４０内には、入賞個数カウント用の大入賞口カウントスイッチが設けられる他に、「大当たり」を継続するためのＶスイッチ（図示せず）が設けられている。
また、普通図柄表示部２０の普通図柄が変動開始した後に、所定時間経過して停止して、左右の普通図柄が揃った（すなわち、複数のキャラクタが、例えば「３、３」等の予め定めた特定表示結果となった）場合、第２開閉扉が開いて第２始動口３８が開口し、第２始動口３８内にパチンコ球が入賞しやすくなる。
【００１９】
その第２始動口３８には、パチンコ球の入賞を検出する第２始動口スイッチが設けられている。この第２始動口スイッチがパチンコ球の入賞を検出すると、液晶表示器１９の背景画面上に表示されている左側のキャラクタ、中側のキャラクタ及び右側のキャラクタの３つの特別図柄のそれぞれが、液晶表示器１９の上下方向に変動するように構成されている。そして、特別図柄が変動中に、第２始動口スイッチが、第２始動口３８内に入賞したことを検出した場合には、入賞個数が４個までのカウント値が、主基板に設けられるＲＡＭの第１保留カウンタに記憶される。
【００２０】
また、このような特別入賞装置４１の両側上方には、電飾ランプを付設した下入賞口４２、４３が配設されている。これら下入賞口４２、４３には、この下入賞口４２、４３への入賞を検出する下入賞口スイッチが設けられている。また、特別入賞装置４１の直下には、レール１２に沿ってアウト口４４が開設されている。更に、レール１２に囲まれたこのような遊技領域１１には、前記各構成物とともに複数の釘（不図示）が打設されてパチンコ球の複雑な流路を構成している。
【００２１】
次に、各特別入賞装置４１について図３に基づいて説明する。図３はこの実施形態に係るパチンコ遊技機１の各特別入賞装置４１を拡大して示す斜視図である。
この特別入賞装置４１は、遊技領域１１の裏面側に位置する装置本体５１と、この装置本体５１の前面部に取り付けられる装飾基板４５とから構成され、遊技盤２の表面にビス等で取り付けられる。
その装置本体５１には、図３に示すように、前面中央部の上側に大入賞口４０が形成されると共に、下側にパチンコ球が１個通過できる大きさの第２始動口３８が形成されている。そして、装飾基板４５の開閉扉３９に対向する位置には横幅が広い長四角形の開口部４５Ａが形成され、更に、その下側には略四角形の開口部４５Ｂが形成されている。また、この開口部４５Ａの左右両側には上方に開口する各入賞口４５Ｃ、４５Ｄが前面側に突出して形成されている。
【００２２】
また、開口部４５Ｂの前面側には、案内部３７が設けられている。この案内部３７は、各入賞口４５Ｃ、４５Ｄの内側（大入賞口４０側）を転動落下してきたパチンコ球を開口部４５Ｂに案内する案内路３７ａを形成しているので、案内路３７ａに沿って案内されるパチンコ球が第２始動口３８内に入り、パチンコ球が入賞するようになっている。
また、大入賞口４０は、開閉自在となるように開閉扉３９によって覆われている。この開閉扉３９は、次述するように、大入賞口４０の右奥側に配設される開閉用ソレノイド５４によってクランク５５を介して開閉扉３９の回動軸３９Ａを回転中心として開閉駆動される。
【００２３】
次に、開閉扉３９の開閉機構について、図４乃至図６を参照して説明する。図４は、実施形態に係る特別入賞装置４１の開閉扉３９の裏面側に配置される開閉用ソレノイド５４及び開閉扉３９を抽出して示す拡大斜視図で、（Ａ）は開閉扉３９が開いた状態、（Ｂ）は開閉扉３９が閉じた状態である。図５はその特別入賞装置４１の開閉扉３９の開閉状態を順に示す拡大側面図である。図６はその開閉扉３９の開閉状態を模式的に示す拡大側面図で、（Ａ）は開閉用ソレノイド５４のプランジャ５４ａが上がった場合、（Ｂ）は開閉用ソレノイド５４のプランジャ５４ａが下がった直後であってクランク５５の第１作動部５８がまだ下がらない場合、（Ｃ）は、開閉用ソレノイド５４のプランジャ５４ａが下がり、クランク５５の第１作動部５８も下がった場合を示す。
【００２４】
開閉扉３９の裏面側には、駆動手段としての開閉用ソレノイド５４が配置されている。この開閉用ソレノイド５４は、突出部として上下動するプランジャ５４ａを備えており、プランジャ５４ａの下方位置には、コイルバネ５４ｂが取り付けられている。この場合、開閉用ソレノイド５４の駆動時には、コイルバネ５４ｂの付勢力に抗して、プランジャ５４ａが下方向に移動するのに対して、開閉用ソレノイド５４の非駆動時には、コイルバネ５４ｂの付勢力によりプランジャ５４ａが上方向に移動する。
【００２５】
また、開閉扉３９の裏面側には、作動部材としてのクランク５５が配置されている。クランク５５は、湾曲形状をなすとともに、プランジャ５４ａに係止される第１作動部５８と、開閉扉３９に向かって延びる第２作動部５９とを備えている。そして、クランク５５は開閉用ソレノイド５４のプランジャ５４ａの上下動に伴って、第１作動部５８が上下動して支点５７を中心として揺動する。すなわち、プランジャ５４ａの上端部側には、クランク５５の第１作動部５８が載置されるので、開閉用ソレノイド５４がプランジャ５４ａを上方向に移動させるように駆動すると（図６（Ｃ）から図６（Ａ）の状態に移る）、第１作動部５８が上方向に移動するのに対して、プランジャ５４ａを下方向に移動させる（図６（Ａ）から図６（Ｃ）の状態に移る）ように駆動すると、第１作動部５８も下方向に移動し、その結果、クランク５５は支点５７を中心として揺動する。
【００２６】
この実施の形態の場合、第１作動部５８はプランジャ５４ａの上端部と分離するとともに、金属棒Ｘ１等を取り付けた重り部５８ａを備えてクランク５５の第１作動部５８が第２作動部５９より重くなるように設定されているので、重り部５８ａを備える第１作動部５８の自重でもって、クランク５５が支点５７を中心として揺動する。それにより、プランジャ５４ａが上方位置から下方向に移動する（図６（Ａ）から図６（Ｃ）の状態に移る）際に、第１作動部５８とプランジャ５４ａの上端部と分離した（図６（Ｂ）参照）状態を経て、第１作動部５８も下方向に移動する結果、開閉扉３９はスムーズに閉じた状態から開いた状態になる。
もっとも、第１作動部５８は、必要に応じて、プランジャ５４ａの上端部と連結していても良く、その場合、第１作動部５８はプランジャ５４ａと一体的に移動することになる。
【００２７】
そして、開閉扉３９は、その回動軸３９Ａを回転中心として、閉じた状態（図４（Ｂ）参照）から開いた状態（図４（Ａ）参照）になるように回動するとともに、開いた状態（図４（Ａ）参照）から閉じた状態（図４（Ｂ）参照）になるように回動する。この場合、開閉扉３９はクランク５５の第２作動部５９と係合される第１係合部６０及び第２係合部６１を有し、第１係合部６０は開閉扉３９の裏面側に突設する突部からなるのに対して、第２係合部６１は開閉用ソレノイド５４に向かって延設される腕部からなる。そして、開閉扉３９が閉じた状態で、先端部が丸みを帯びた第２作動部５９は、その下面５９ａ側でもって、開閉扉３９の第２係合部６１と当接した状態となる（図４（Ａ）参照）。
それから、開閉扉３９が閉じた状態で、開閉用ソレノイド５４がプランジャ５４ａを上方位置から下方向に移動させるように駆動すると（図６（Ｂ）参照）、クランク５５が支点５７を中心として揺動する（図６（Ｃ）参照）。すると、第２作動部５９は、その前面５９ｂ側でもって、開閉扉３９の第１係合部６０を押圧移動させて、開閉扉３９は閉じた状態から開いた状態にする。この場合も、開閉扉３９が開いた状態で、第２作動部５９は、その後面５９ｃ側でもって、開閉扉３９の第２係合部６１と当接した状態となるので、その後面５９ｃで開閉扉３９を開いた位置に保持する（図６（Ｃ）参照）。
【００２８】
一方、開閉扉３９が開いた状態で（図６（Ｃ）参照）、開閉用ソレノイド５４がプランジャ５４ａを下方位置から上方向に移動させるように駆動すると（図６（Ａ）参照）、第１作動部５８が下方位置から上方向に移動する。すると、クランク５５が支点５７を中心に揺動することにより、クランク５５の第２作動部５９が開閉扉３９の第２係合部６１を押圧移動させて、開閉扉３９を開いた状態（図４（Ａ）参照）から閉じた状態（図４（Ｂ）参照）にする。この場合、第２作動部５９は、その前面５９ｂが開閉扉３９の第１係合部６０と当接して、その前面５９ｂで、開閉扉３９を閉じた位置に保持する。
尚、クランク５５の第１作動部５８を第２作動部５９より重くなるように設定する方法として、金属棒Ｘ１等を取り付けた重り部５８ａを備える必要は必ずしもなく、例えば図７に示すように、第１作動部５８の形状を大きくして重くなるようにしても良い。
【００２９】
以上詳細に説明した通り、この実施形態に係るパチンコ遊技機１によれば、遊技領域１１を転動するパチンコ球（遊技球）を入賞させるための開閉扉３９（開閉扉）を備える特別入賞装置４１（可動入賞装置）において、開閉扉３９の裏面側に配置され、上下動するプランジャ５４ａ（突出部）を有する開閉用ソレノイド５４（駆動手段）と、このプランジャ５４ａに係止される第１作動部５８と、開閉扉３９に向かって延びる第２作動部５９とを少なくとも備え、開閉用ソレノイド５４のプランジャ５４ａの上下動に伴って、支点５７を中心に揺動するクランク５５（作動部材）と、このクランク５５の第２作動部５９と係合される第２係合部６１を少なくとも有する開閉扉３９とを備える。そして、開閉用ソレノイド５４の駆動でもってクランク５５が支点５７を中心に揺動することにより、クランク５５の第２作動部５９が開閉扉３９の第１係合部６０を移動させて、開閉扉３９を閉じた状態から開いた状態にするとともに、第２作動部５９が前記開閉扉３９の第２係合部６１と当接して開閉扉３９の開いた位置から閉じた状態にする。
それにより、従来技術と異なり開閉扉３９に重りを埋め込む必要がないので、従来技術のような開閉扉の重りを見えなくするような工夫を施す必要もない。従って、開閉扉のデザインが制限されることがないため、開閉扉のデザインの自由度を高めて、開閉扉周囲の美観を良くすることができる。
【００３０】
尚、本発明は、前記実施形態に限定されるものではなく、本発明の要旨を逸脱しない範囲内で種々の改良、変形が可能であることは勿論である。例えば、以下のようにしてもよい。
前記実施形態では、開閉扉３９を備える特別入賞装置４１においてこの発明を実施したが、必ずしもそれに限定される訳ではなく、開閉扉を備える可動入賞装置であれば、通常の入賞装置においてこの発明を実施してもよい。また、前記実施形態では、駆動手段として開閉用ソレノイド５４を用いたが、上下動する突出部を有する駆動手段であれば、例えば駆動モータ等を用いたカム機構等であってもよい。また、開閉扉３９を備える特別入賞装置４１は、パチンコ遊技機１と一体的に製造しても良いし、別個に製造しても良い。
【００３１】
また、作動部材としてクランク５５の第１作動部５８を第２作動部５９より重くなるように設定する方法として、第１作動部５８自体の重量を第２作動部５９自体の重量より重くなるように設定する以外に、第１作動部５８から支点５７までの距離と、第２作動部５９から支点５７までの距離を調整するように設定してもよい。また、作動部材としてクランク５５を用いたが、クランク以外のものを用いてもよいし、第１作動部５８及び第２作動部５９の形状及び構成等を適宜変更しても良い。更に、第１係合部６０及び第２係合部６１の形状及び構成等を適宜変更しても良い。クランク５５は第１作動部５８及び第２作動部５９以外のものを含んでいても良いし、開閉扉３９は第１係合部６０以外のものを含んでいても良い。
また、駆動手段としての開閉用ソレノイド５４の場合、プランジャ５４ａ（突出部）が開閉用ソレノイド５４に対して上下動すれば足り、開閉用ソレノイド５４を鉛直方向に設置する必要はなく、例えば横方向に設置してもよい。
また、前記実施形態では、遊技機はパチンコ遊技機１であったが、遊技球を入賞させるための開閉扉を備える可動入賞装置であれば、それ以外の遊技機であっても良い。
【００３２】
【発明の効果】
以上説明した通り、請求項１の発明によれば、遊技領域を転動する遊技球を入賞させるための開閉扉を備えた可動入賞装置において、駆動手段でもって作動部材が支点を中心として揺動することにより、作動部材の第２作動部が開閉扉の係合部を移動させて、開閉扉を閉じた状態から開いた状態にするので、駆動手段が作動部材を支点を中心として揺動して、開閉扉を閉じた状態から開いた状態にできる。それにより、従来技術と異なり開閉扉を開くために開閉扉に重りを埋め込む必要がないため、従来技術のような開閉扉の重りを見えなくするような工夫を施すことが不要となる。従って、開閉扉のデザインが制限されることがなく、開閉扉のデザインの自由度を高めて、開閉扉周囲の美観を良くすることができる。
【００３３】
また、請求項１に係る発明によれば、前記作動部材は、第１作動部材の自重に基づいて突出部の上面に第１作動部の端部が載置されるように設定されており、駆動手段の突出部が下方向へ移動するのに伴って、作動部材の第１作動部が前記支点を中心として下方向へ移動するので、開閉扉はスムーズに閉じた状態から開いた状態になる。
【００３４】
また、従来技術と異なり開閉扉に重りを埋め込む必要がない。それにより、この遊技機の場合、従来技術のような開閉扉の重りを見えなくするような工夫を施す必要もなく、開閉扉のデザインが制限されることがないので、開閉扉のデザインの自由度を高めて、開閉扉周囲の美観が良くなる。
【図面の簡単な説明】
【図１】  実施形態に係るパチンコ遊技機の全体を示した正面図である。
【図２】  実施形態に係るパチンコ遊技機の遊技領域を拡大して示した正面図である。
【図３】  実施形態に係るパチンコ遊技機の特別入賞装置を拡大して示す斜視図である。
【図４】  実施形態に係るパチンコ機の特別入賞装置の開閉扉の開閉用ソレノイド及び開閉扉を抽出して示す拡大斜視図で、（Ａ）は開閉扉が開いた状態、（Ｂ）は開閉扉が閉じた状態である。
【図５】  実施形態に係るパチンコ遊技機の特別入賞装置の開閉扉の開閉状態を順に示す拡大側面図である。
【図６】  実施形態に係るパチンコ遊技機の特別入賞装置の開閉状態を順に示す拡大側面図であって、（Ａ）はプランジャが上がった場合、（Ｂ）はプランジャが下がった直後の場合、（Ｃ）はプランジャが下がりクランクも下がった場合を示す。
【図７】  他の実施形態に係るクランクのみを示す拡大側面図である。
【符号の説明】
１                  パチンコ遊技機
２                  遊技盤
１１                遊技領域
１８                特別図柄表示装置
３９                開閉扉
４０                大入賞口
４１                特別入賞装置（可動入賞装置）
４５                装飾基板
５１                装置本体
５４                開閉用ソレノイド（駆動手段）
５４ａ              プランジャ（突出部）
５５                クランク（作動部材）
５７                支点
５８                第１作動部
５９                第２作動部
６０                第１係合部
６１                第２係合部
【図１】
0004362645.tif 000002
【図２】
0004362645.tif 000003
【図３】
0004362645.tif 000004
【図４】
0004362645.tif 000005
【図５】
0004362645.tif 000006
【図６】
0004362645.tif 000007
【図７】
0004362645.tif 000008